(57)【特許請求の範囲】
【請求項１】
複数の走査電極及び前記複数の走査電極に交差する複数の信号電極と、前記各走査電極と前記各信号電極との間に挟持された液晶とを備える液晶装置の駆動方法において、
４本の走査電極を同時に選択し、
前記走査電極を選択する選択電圧は、第１の選択値と第２の選択値を有し、
選択期間を複数の期間に区分し、区分されたそれぞれの期間に、前記第１の選択値または前記第２の選択値の前記選択電圧を、同時に選択される前記４本の走査電極に印加し、
信号電極に対応する表示が全てオンもしくは全てオフの場合に、該信号電極に印加する電圧波形の電圧レベルの絶対値が最も小さくなるように、前記走査電極に印加する前記選択電圧の選択値を設定してなることを特徴とする液晶装置の駆動方法。
【請求項２】
前記選択期間を１フレーム内で間隔をあけて複数回に分けて設けることを特徴とする請求項１記載の液晶装置の駆動方法。
【請求項３】
同時に選択する前記複数の走査電極に印加する選択電圧の選択値を、
ｎ（ｎは整数）走査毎に組み替えることを特徴とする請求項１または２記載の液晶装置の駆動方法。
【請求項４】
組み替え前の走査時の前記第１の選択値と前記第２の選択値の各々の数と、組み替えたときの前記第１の選択値と前記第２の選択値の各々の数が同じになる様にしたことを特徴とする請求項１乃至３のいずれか記載の液晶装置の駆動方法。
【請求項５】
複数の走査電極及び前記複数の走査電極に交差する複数の信号電極と、前記各走査電極と前記各信号電極との間に挟持された液晶とを備える表示装置において、
４本の走査電極が同時に選択され、
前記走査電極を選択する選択電圧は、第１の選択値と第２の選択値を有し、
選択期間を複数の期間に区分し、区分されたそれぞれの期間に、前記第１の選択値または前記第２の選択値の前記選択電圧が、同時に選択される前記４本の走査電極に印加され、
信号電極に対応する表示が全てオンもしくは全てオフの場合に、該信号電極に印加する電圧波形の電圧レベルの絶対値が最も小さくなるように前記走査電極に印加する前記選択電圧の選択値が設定されてなることを特徴とする表示装置。
【請求項６】
前記選択期間が１フレーム内で間隔をあけて複数回に分けて設けられることを特徴とする請求項５記載の表示装置。
【請求項７】
同時に選択する前記複数の走査電極に印加する選択電圧の選択値が、
ｎ（ｎは整数）走査毎に組み替えられることを特徴とする請求項５または６記載の表示装置。
【請求項８】
組み替え前の走査時の前記第１の選択値と前記第２の選択値の各々の数と、組み替えたときの前記第１の選択値と前記第２の選択値の各々の数が同じになる様にしたことを特徴とする請求項５乃至７のいずれか記載の表示装置。
【発明の詳細な説明】
【０００１】
【発明の属する技術分野】
本発明は、例えば液晶装置の駆動方法及びそれを用いた表示装置に関する。
【０００２】
【従来の技術】
従来の液晶装置の駆動方法で、同時に複数本の走査電極を選択する駆動方法として、特願平４−８４００７で示すように、図９に示すような方法がある。このような走査電極波形の組合せで、例えば、画面全体がオンの場合を考えると、ある画素に印加される電圧波形は図９の（ｃ）の様になり、１Ｆで示す１フレームの中で非選択期間に印加される電圧はｆ１の期間にＶ３あるいは−Ｖ３が印加されるだけとなり、１フレーム期間の中で印加電圧の分布に偏りが発生してしまい、図９（ｄ）の光学応答で示すように、オンのときは９０１のような光学応答となり、１ｆと２ｆの境の近辺が一番明るくなり、３ｆ，４ｆと次第に暗くなってしまう。また、画面全体がオフの場合にも１フレームの中で非選択期間に印加される電圧はｆ１の期間にＶ３あるいは−Ｖ３が印加されるだけとなり、１フレーム期間の中で印加電圧の分布に偏りが発生してしまい、図９（ｄ）の光学応答で示すように、オンのときは９０２のような光学応答となり、１ｆと２ｆの境の近辺が一番明るくなり、３ｆ，４ｆと次第に暗くなってしまい、特に１ｆ，２ｆ期間の黒レベルがかなり明るくなってしまう。
【０００３】
【発明が解決しようとする課題】
このように、１フレーム期間の中で輝度変化の差が大きくなり、チラツキの原因となる。また、オフ時の黒レベルが明るくなってしまいコントラストが低下してしまう。
【０００４】
【課題を解決するための手段】
本発明の液晶装置の駆動方法は、複数の走査電極及び前記複数の走査電極に交差する複数の信号電極と、前記各走査電極と前記各信号電極との間に挟持された液晶とを備える液晶装置の駆動方法において、４本の走査電極を同時に選択し、前記走査電極を選択する選択電圧は、第１の選択値と第２の選択値を有し、選択期間を複数の期間に区分し、区分されたそれぞれの期間に、前記第１の選択値または前記第２の選択値の前記選択電圧を、同時に選択される前記４本の走査電極に印加し、信号電極に対応する表示が全てオンもしくは全てオフの場合に、該信号電極に印加する電圧波形の電圧レベルの絶対値が最も小さくなるように、前記走査電極に印加する前記選択電圧の選択値を設定してなることを特徴とする。
また、本発明の液晶装置の駆動方法は、複数の走査電極及び前記複数の走査電極に交差する複数の信号電極と、前記各走査電極と前記各信号電極との間に挟持された液晶とを備える液晶装置の駆動方法において、６本の前記走査電極を同時に選択し、前記走査電極を選択する選択電圧は、第１の選択値と第２の選択値を有し、選択期間を複数の期間に区分し、区分されたそれぞれの期間に、前記第１の選択値または前記第２の選択値の前記選択電圧を、同時に選択される前記６本の走査電極に印加し、同時に印加する前記選択電圧の選択値のうち２つまたは３つが他の選択値と異なるよう設定されてなることを特徴とする。
また、本発明の液晶装置の駆動方法は、複数の走査電極及び前記複数の走査電極に交差する複数の信号電極と、前記各走査電極と前記各信号電極との間に挟持された液晶とを備える液晶装置の駆動方法において、７本の前記走査電極を同時に選択し、前記走査電極を選択する選択電圧は、第１の選択値と第２の選択値を有し、選択期間を複数の期間に区分し、区分されたそれぞれの期間に、前記第１の選択値または前記第２の選択値の前記選択電圧を、同時に選択される前記７本の走査電極に印加し、同時に印加する前記選択電圧の選択値のうち２つまたは３つが他の選択値と異なるよう設定されてなることを特徴とする。
また、本発明の液晶装置の駆動方法は、複数の走査電極及び前記複数の走査電極に交差する複数の信号電極と、前記各走査電極と前記各信号電極との間に挟持された液晶とを備える液晶装置の駆動方法において、８本の前記走査電極を同時に選択し、前記走査電極を選択する選択電圧は、第１の選択値と第２の選択値を有し、選択期間を複数の期間に区分し、区分されたそれぞれの期間に、前記第１の選択値または前記第２の選択値の前記選択電圧を、同時に選択される前記８本の走査電極に印加し、同時に印加する前記選択電圧の選択値のうち２つまたは４つが他の選択値と異なるよう設定されてなることを特徴とする。
また、本発明の液晶装置の駆動方法は、上記の液晶装置の駆動方法において、前記選択期間を１フレーム内で間隔をあけて複数回に分けて設けることを特徴とする。
また、本発明の液晶装置の駆動方法は、上記の液晶装置の駆動方法において、同時に選択する前記複数の走査電極に印加する選択電圧の選択値を、ｎ（ｎは整数）走査毎に組み替えることを特徴とする。
また、本発明の液晶装置の駆動方法は、上記の液晶装置の駆動方法において、組み替え前の走査時の前記第１の選択値と前記第２の選択値の各々の数と、組み替えたときの前記第１の選択値と前記第２の選択値の各々の数が同じになる様にしたことを特徴とする。
また、本発明の表示装置は、複数の走査電極及び前記複数の走査電極に交差する複数の信号電極と、前記各走査電極と前記各信号電極との間に挟持された液晶とを備える表示装置において、４本の走査電極が同時に選択され、前記走査電極を選択する選択電圧は、第１の選択値と第２の選択値を有し、選択期間を複数の期間に区分し、区分されたそれぞれの期間に、前記第１の選択値または前記第２の選択値の前記選択電圧が、同時に選択される前記４本の走査電極に印加され、信号電極に対応する表示が全てオンもしくは全てオフの場合に、該信号電極に印加する電圧波形の電圧レベルの絶対値が最も小さくなるように前記走査電極に印加する前記選択電圧の選択値が設定されてなることを特徴とする。
また、本発明の表示装置は、複数の走査電極及び前記複数の走査電極に交差する複数の信号電極と、前記各走査電極と前記各信号電極との間に挟持された液晶とを備える表示装置において、６本の前記走査電極が同時に選択され、前記走査電極を選択する選択電圧は、第１の選択値と第２の選択値を有し、選択期間を複数の期間に区分し、区分されたそれぞれの期間に、前記第１の選択値または前記第２の選択値の前記選択電圧が、同時に選択される前記６本の走査電極に印加され、同時に印加する前記選択電圧の選択値のうち２つまたは３つが他の選択値と異なるよう設定されてなることを特徴とする。
また、本発明の表示装置は、複数の走査電極及び前記複数の走査電極に交差する複数の信号電極と、前記各走査電極と前記各信号電極との間に挟持された液晶とを備える表示装置において、７本の前記走査電極が同時に選択され、前記走査電極を選択する選択電圧は、第１の選択値と第２の選択値を有し、選択期間を複数の期間に区分し、区分されたそれぞれの期間に、前記第１の選択値または前記第２の選択値の前記選択電圧が、同時に選択される前記７本の走査電極に印加され、同時に印加する前記選択電圧の選択値のうち２つまたは３つが他の選択値と異なるよう設定されてなることを特徴とする。
また、本発明の表示装置は、複数の走査電極及び前記複数の走査電極に交差する複数の信号電極と、前記各走査電極と前記各信号電極との間に挟持された液晶とを備える表示装置において、８本の前記走査電極が同時に選択され、前記走査電極を選択する選択電圧は、第１の選択値と第２の選択値を有し、選択期間を複数の期間に区分し、区分されたそれぞれの期間に、前記第１の選択値または前記第２の選択値の前記選択電圧が、同時に選択される前記８本の走査電極に印加され、同時に印加する前記選択電圧の選択値のうち２つまたは４つが他の選択値と異なるよう設定されてなることを特徴とする。
また、本発明の表示装置は、上記の表示装置において、前記選択期間が１フレーム内で間隔をあけて複数回に分けて設けられることを特徴とする。
また、本発明の表示装置は、上記の表示装置において、同時に選択する前記複数の走査電極に印加する選択電圧の選択値が、ｎ（ｎは整数）走査毎に組み替えられることを特徴とする。
また、本発明の表示装置は、上記の表示装置において、組み替え前の走査時の前記第１の選択値と前記第２の選択値の各々の数と、組み替えたときの前記第１の選択値と前記第２の選択値の各々の数が同じになる様にしたことを特徴とする。
【０００５】
【実施例】
以下に、実施例に基づいて本発明による液晶装置の駆動方法及び表示方法を具体的に説明する。
（実施例１）
図１は、４ラインを同時に駆動する場合の走査電極に印加する電圧波形とある信号電極に印加する電圧波形を示している。１Ｆで示す１フレーム期間を、１ｆ，２ｆ，３ｆ，４ｆの４つのフィールド期間に分け、各フィールド期間の走査電極に印加する電圧波形の選択電圧の極性を図２（ａ）に示すように印加する。図２に示す１Ｌ〜４Ｌは同時に選択する各走査電極を示し、１ｆ〜４ｆは各フィールド期間を示している。図１で示す走査電極波形のＸ１〜Ｘ４は、最初に選択する４ラインの走査電極波形で、Ｘ５〜Ｘ８は、２番目に選択する走査電極波形である。
【０００６】
最初の４ラインが選択される１ｆの１Ｈ期間の選択電圧の極性は、Ｘ１から順番に＋、＋、−、＋とし、２番目に選択する４ラインの選択期間１ｆの２Ｈ期間の選択電圧の極性は、Ｘ５から順番に＋、＋、−、＋とする。この様にして、同時に４ラインずつ走査して、全ラインを走査し終わると、次に２ｆ期間で最初に選択する４ラインから順番に走査して行く。２ｆ期間での選択電圧の極性は、Ｘ１から順番に＋、−、＋、＋としている。２ｆ期間の走査が終わると３ｆ期間の走査をし、次に４ｆ期間の走査をする。３ｆ期間の選択電圧の極性は、Ｘ１から順番に−、＋、＋、＋とし、４ｆ期間の選択電圧の極性は、＋、＋、＋、−としている。
この様に、同時に選択する選択電圧の極性が４つのうち１つだけ違う組合せとすると、例えば、ある信号電極上の画素が全オンのとき、図１（ｃ）に示す信号電極波形となり、１フレーム期間の中に均一にＶ２あるいは−Ｖ２が印加されることになり、各画素に印加される非選択時の電圧のバラツキがなくなり１フレーム期間の輝度変化も少なくなる。これは、通常の表示の中で一番多いと思われる白表示の中に黒い文字表示、あるいは、黒表示の中に白い文字表示においてチラツキを減らし、コントラストを上げ、画質を向上できる。
【０００７】
また、図２（ｂ）に示すような選択電圧の極性の組合せにしても同じ様な効果が出せる。
【０００８】
また、選択電圧の極性を図２（ｃ）の様な組合せにすることによって、同時に選択する４ラインの中で１フレームごとに見たときの極性がライン毎に逆極性になることでチラツキをより減らすことが出来る。
【０００９】
尚、この選択電圧の極性は、何ラインかごとやフレームごとに極性を反転させてもよい。
（実施例２）
図３は、実施例２における４ラインを同時に駆動する場合の走査電極に印加する電圧波形とある信号電極に印加する電圧波形を示している。１Ｆで示す１フレーム期間を、１ｆ，２ｆ，３ｆ，４ｆの４つのフィールド期間に分け、かつ１選択期間ごとに１Ｈ〜４Ｈの４つに分け、各フィールド期間の走査電極に印加する電圧波形の選択電圧の極性を図４（ａ）に示すように印加する。図４に示す１Ｌ〜４Ｌは同時に選択する各走査電極を示し、１ｆ〜４ｆは各フィールド期間を示している。図３で示す走査電極波形のＸ１〜Ｘ４は、最初に選択する４ラインの走査電極波形で、Ｘ５〜Ｘ８は、２番目に選択する走査電極波形である。
【００１０】
最初の４ラインが選択される１ｆの１Ｈ期間の選択電圧の極性は、Ｘ１から順番に＋、＋、−、＋とし、２番目に選択する４ラインの選択期間１ｆの２Ｈ期間の選択電圧の極性は、Ｘ５から順番に＋、−、＋、＋とし、３番目に選択する４ラインの選択期間１ｆの３Ｈ期間の選択電圧の極性は、Ｘ９から順番に−、＋、＋、＋とし、４番目に選択する４ラインの選択期間１ｆの４Ｈ期間の選択電圧の極性は、Ｘ１３から順番に＋、＋、＋、−とし、１選択期間ごとに１Ｈ〜４Ｈの組合せを繰り返す。この様にして、同時に４ラインずつ走査して、全ラインを走査し終わると、次に２ｆ期間で最初に選択する４ラインから順番に走査して行く。２ｆ期間での選択電圧の極性は、図４（ａ）の２ｆに示す極性の組合せとして、１ｆ期間の時と同様に順番に走査して行く。３ｆ、４ｆ期間についても、選択電圧の極性は、図４（ａ）の３ｆ、４ｆに各々示す組合せとして、１ｆ期間の時と同様に順番に走査して行く。この様に、同時に選択する選択電圧の極性の組合せを１選択期間ごとに組替えて１Ｈ〜４Ｈの組合せを順番に替えることによって、例えば、図３（ｃ）に示すように、信号電極波形の０、Ｖ３、−Ｖ３の電圧レベルを１フレーム期間の中で１ｆ、２ｆ、３ｆ、４ｆの各フィールドに分散させることができ、１フレーム期間の輝度変化を少なくできチラツキを減少させ、コントラストも向上する。
【００１１】
また、選択電圧の極性を図４（ｂ）の様な組合せにすることによって、同時に選択する４ラインの中で１フレームごとに見たときの極性がライン毎に逆極性になることでチラツキをより減らすことが出来る。
【００１２】
尚、この選択電圧の極性は、何ラインかごとやフレームごとに極性を反転させてもよい。また、実施例２では、１選択期間ごとに選択電圧の極性の組合せを替えているがこれは何選択期間ごとでもよく例えば、２選択期間ごとや、３選択期間ごとでもよく、組合わせを替える順番もどの様にしてもよい。また、組合せのパターンの種類も幾つでもよく、２種類以上のパターンで組替えればよい。
（実施例３）
実施例１、２では、４ラインを同時に選択する場合を例として説明したが、実施例３ではそれ以外のものについて説明する。
【００１３】
図５は、６ラインを同時に選択する場合の走査電極に印加する電圧波形の選択電圧の極性を示している。このときは、１フレーム期間を１ｆ〜８ｆの８つのフィールド期間に分け、１選択期間ごとに１Ｈの組合せパターンと２Ｈの組合せパターンとを切り替える。また、実施例２で説明したように、例えば１Ｈで示すパターンで１選択期間ごとに１ｆ〜８ｆのパターンを入れ替えるようにし、例えば１フィールド目の最初の選択期間は１ｆで示すパターンとし、次の選択期間は２ｆで示すパターンとして行くこともできる。
【００１４】
図６は、７ラインを同時に選択する場合の走査電極に印加する電圧波形の選択電圧の極性を示している。このときは、１フレーム期間を１ｆ〜８ｆの８つのフィールド期間に分け、１選択期間ごとに１Ｈの組合せパターンと２Ｈの組合せパターンとを切り替える。また、実施例２で説明したように、例えば１Ｈで示すパターンで１選択期間ごとに１ｆ〜８ｆのパターンを入れ替えるようにし、例えば１フィールド目の最初の選択期間は１ｆで示すパターンとし、次の選択期間は２ｆで示すパターンとして行くこともできる。
【００１５】
図７は、８ラインを同時に選択する場合の走査電極に印加する電圧波形の選択電圧の極性を示している。このときは、１フレーム期間を１ｆ〜８ｆの８つのフィールド期間に分け、１選択期間ごとに１Ｈの組合せパターンと２Ｈの組合せパターンとを切り替える。また、実施例２で説明したように、例えば１Ｈで示すパターンで１選択期間ごとに１ｆ〜８ｆのパターンを入れ替えるようにし、例えば１フィールド目の最初の選択期間は１ｆで示すパターンとし、次の選択期間は２ｆで示すパターンとして行くこともできる。
【００１６】
図８は、３ラインを同時に選択する場合の走査電極に印加する電圧波形の選択電圧の極性を示している。このときは、１フレーム期間を１ｆ〜４ｆの４つのフィールド期間に分け、実施例２で説明したように、１選択期間ごとに１Ｈ〜４Ｈに示す選択電圧の極性の組合せで切り替えて行く。
【００１７】
この様に駆動することで、１フレーム期間の輝度変化を少なくできチラツキを減少させ、コントラストも向上する。
【００１８】
上記の実施例１〜３では、同時選択ライン数を３〜８ラインについて説明したが２ラインあるいは８ライン以上でも同様の考え方で駆動できる。
そして、この様な駆動方法による表示装置をパーソナルコンピューター等の表示装置として使うことによって画質が向上した見やすい表示が実現できる。
【００１９】
【発明の効果】
以上説明したように本発明によって、高速応答の液晶ディスプレイでもコントラストが高く、チラツキが少なく、クロストークの少ない表示品質の高い表示装置を提供することができる。
【図面の簡単な説明】
【図１】本発明による液晶装置の駆動方法の一例を示す駆動波形図。
【図２】本発明による液晶装置の駆動方法による走査電極の選択電圧の極性を示す図。
【図３】本発明による液晶装置の駆動方法の一例を示す駆動波形図。
【図４】本発明による液晶装置の駆動方法による走査電極の選択電圧の極性を示す図。
【図５】本発明による液晶装置の駆動方法による走査電極の選択電圧の極性を示す図。
【図６】本発明による液晶装置の駆動方法による走査電極の選択電圧の極性を示す図。
【図７】本発明による液晶装置の駆動方法による走査電極の選択電圧の極性を示す図。
【図８】本発明による液晶装置の駆動方法による走査電極の選択電圧の極性を示す図。
【図９】従来の液晶装置の駆動波形を示す図と光学応答を示す図。
【図１】
0003578161.tif 000002
【図２】
0003578161.tif 000003
【図３】
0003578161.tif 000004
【図４】
0003578161.tif 000005
【図５】
0003578161.tif 000006
【図６】
0003578161.tif 000007
【図７】
0003578161.tif 000008
【図８】
0003578161.tif 000009
【図９】
0003578161.tif 000010